(57)【要約】【課題】  係合溝部から外れた係合突起を自動的に正規位置に復帰させる。【解決手段】  光ピックアップ３０の初期位置復帰動作に連動して復動を開始するスライダ６０と、スライダ６０の復動開始動作に連動して初期移動するディスクトレイ２０と、係合溝部２５に係合する係合突起６５と、係合溝部２５に連続するガイド溝部２６と、ディスクトレイの入出動作駆動機構２１とを備える。ガイド溝部２６の一部に開口２８を形成する。係合突起６５が係合溝部２５から外れたときのディスクトレイ２０の初期移動により、入出動作駆動機構２１のラック２３がピニオン２２に噛み合い、光ピックアップ３０の初期位置復帰動作に連動してスライダ６０が復動開始動作を行う。ディスクトレイ２０の退出動作とスライダ６０の復動とを併行させて係合突起６５を開口２８からガイド溝部２６に導入させる。【選択図】        図４
2008282446.tif 000002
【特許請求の範囲】
【請求項１】
枠フレームを形成しているシャーシに当該シャーシの幅方向往復移動可能に取り付けられ、光ピックアップが動作モードから非動作モードに切り換えられて初期位置に復帰する動作に連動して往動限位置を始点とする復動を開始するスライダと、
上記シャーシに入出動作可能に組み付けられて上記スライダの復動開始動作に連動して退出方向に初期移動されるディスクトレイと、
上記スライダに設けられて、上記ディスクトレイが上記シャーシに進入しているときにこのディスクトレイに備わっている上記幅方向に延びる係合溝部の溝壁に係合してこのディスクトレイの上記シャーシからの退出動作を阻止する係合突起と、
上記ディスクトレイに設けられて上記係合溝部に連続しかつ当該ディスクトレイの進入動作時に上記係合突起を上記係合溝部に導入するガイド溝部と、
上記シャーシに装備された第１ピニオンと上記ディスクトレイに装備された第１ラックとの組み合わせでなるディスクトレイの入出動作駆動機構と、を備え、
上記入出動作駆動機構は、ディスクトレイがシャーシに対して進入しているときに第１ラックが第１ピニオンから離れ、かつ、ディスクトレイの上記初期移動によって第１ラックが第１ピニオンに噛み合うようになっているディスク装置において、
上記ガイド溝部にその溝壁の一部を欠除してなる開口が形成され、上記係合突起が上記係合溝部から外れることによって行われるディスクトレイの上記初期移動により上記入出動作駆動機構の第１ラックが第１ピニオンに噛み合うように構成されていると共に、光ピックアップが初期位置に復帰する動作に連動して上記スライダが往動限位置を始点とする復動を開始する動作を通じて、上記係合突起が上記開口から上記ガイド溝部に導入されるように構成してあることを特徴とするディスク装置。
【請求項２】
上記スライダの往復移動が、上記第１ピニオンと共に一体回転する第２ピニオンと上記スライダに装備された第２ラックとの組み合わせでなる往復動駆動機構の動作を介して行われるようになっていて、
上記スライダが往動限に位置しているときに第２ピニオンから離れている第２ラックが、そのスライダの復動開始動作を通じて第２ピニオンに噛み合い、
光ピックアップが初期位置に復帰する動作に連動して上記スライダが復動開始動作を行うことを通じて、上記係合突起が上記開口から上記ガイド溝部に導入されるときに、第２ラックが第２ピニオンにより蹴られてその第２ピニオンから離れると共に、上記スライダが復動限位置に達するように構成してある請求項１に記載したディスク装置。
【発明の詳細な説明】
【技術分野】
【０００１】
本発明は、ディスク装置、特に、記録媒体としてのディスクを出し入れするためのディスクトレイがシャーシに進入しているときに、そのディスクトレイに備わっている係合溝部の溝壁に係合突起が係合してこのディスクトレイのシャーシからの退出動作を阻止するように構成されているディスク装置に関する。
【背景技術】
【０００２】
ディスク装置の一例であるディスクプレーヤでは、光ピックアップやターンテーブルを備えるドライブシャーシの昇降動作を通じて、ディスクをディスクトレイからターンテーブルに受け取らせたりターンテーブルからディスクトレイに受け渡したりすること、ドライブシャーシの昇降動作をスライダの往復移動を通じて行わせること、などが従来より行われている。
【０００３】
図６はこの種のディスク装置の基本構成を示した説明図であり、同図を参照してディスク装置の基本構成やその作用などを次に説明する。
【０００４】
図６において、１０はローダーシャーシと通称されている樹脂成形体でなるシャーシであり、このシャーシ１０に対して一点鎖線で示したディスクトレイ２０が入出動作可能に組み付けられている。そして、枠フレームとしての上記シャーシ１０へのディスク（不図示）の給排をディスクトレイ２０の入出動作（進入退出動作）によって行うことができるようになっている。
【０００５】
シャーシ１０には、光ピックアップ３０や回転テーブル４０が組み付けられたドライブシャーシとしての可動シャーシ５０が取り付けられていて、この可動シャーシ５０が図中一点鎖線で示した支点５０ａを中心としてシャーシ１０に対する揺動運動により昇降可能になっている。また、シャーシ１０には、カムスライダとしてのスライダ６０が当該シャーシ１０の幅方向Ｘ１，Ｘ２に往復移動可能に取り付けられていて、このスライダ６０と可動シャーシ５０とがカム機構６１により連結されて可動シャーシ５０の昇降動作がスライダ６０の往復移動に連動されている。具体的には、スライダ６０が矢印Ｘ１のように往動するとカム機構６１の作用により可動シャーシ５０が支点５０ａを中心にして上昇する。この逆に、スライダ６０が矢印Ｘ２のように復動するとカム機構６１の作用により可動シャーシ５０が支点５０ａを中心にして下降する。そして、可動シャーシ５０が上昇すると、ターンテーブル４０がディスクトレイ２０によって搬入されているディスクを受け取り、図示していないクランパと共働してそのディスクをクランプする。これに対し、可動シャーシ５０が下降すると、ディスクのクランプ状態が解除されてディスクがターンテーブル４０からディスクトレイ２０に受け渡されてディスクトレイ２０によるディスクの排出に備えられる。
【０００６】
光ピックアップ３０の動作モード時の走行は、光ピックアップ３０に設けられているラック３１にピニオン３２の回転が伝達されることにより行われるのに対し、スライダ６０の矢印Ｘ１，Ｘ２方向の往復移動は、シャーシ１０に装備されているピニオン６３とスライダ６０に装備されたラック６４との組み合わせでなる往復動駆動機構６２の動作を介して行われるようになっている。そして、図６のディスク装置では、図示のように、ピニオン６３とラック６４との噛合いが解除されてラック６３がピニオン６４に間隔を隔てて対峙する位置をスライダ６０の往動限位置として定め、スライダ６０がそのような往動限位置に押し切られて到達しているときに可動シャーシ５０が上昇してディスクに対する上記クランプ状態が維持されるように上記カム機構のカム溝の形状を定めてある。
【０００７】
他方、図３のディスク装置では、シャーシ１０に装備されたピニオン２２とディスクトレイ２０に装備されたラック２３との組み合わせでなるディスクトレイ２０の入出動作駆動機構２１が備わっている。この入出動作駆動機構２１において、ピニオン２２には上記したピニオン６３が一体に樹脂成形されていて、両方のピニオン２２，６３が単一のモータで一体回転を行うように構成されている。そして、ピニオン２２にディスクトレイ２０の裏面に具備されたラック２３を対応させてある。
【０００８】
以下では、入出動作駆動機構２１のピニオン２２及びラック２３をそれぞれ第１ピニオン２２及び第２ラック２３と称し、上記した往復動駆動機構６２のピニオン６３及びラック６４をそれぞれ第１ピニオン６３及び第２ラック６４と称することによって、それぞれの駆動機構２１，６２のピニオン２２，６３及びラック２３，６４を区別することとする。
【０００９】
さらに、ディスクトレイ２０には、シャーシ１０の幅方向Ｘ１，Ｘ２に延びる係合溝部２５と、ディスクトレイ２０の入出動作方向（上記幅方向Ｘ１，Ｘ２に直交する方向）に延びるガイド溝部２６とが設けられていて、ガイド溝部２６には係合溝部２５に連続する傾斜部２７が含まれている。これに対し、上記スライダ６０には係合突起６５が設けられていて、その係合突起６５が上記した係合溝部２５又はガイド溝部２６の長手方向に摺動自在に常時係合されている。
【００１０】
図３のディスク装置において、光ピックアップ３０の動作モード時には、入出動作駆動機構２１の第１１ック２３に第１ピニオン２２の回転が伝達されることのないように第１ラック２３を第１ピニオン２２に間隔を隔てて対峙させるようにしている。そして、ディスクトレイ２０によってディスクを排出するときには、ディスクトレイ２０を退出させるのに先立ち、スライダ６０をその往動限位置を始点として矢印Ｘ２方向に復動させ、そのようなスライダ６０の復動開始動作を通じて上記係合突起６５をガイド溝部２６の傾斜部２７に導いてディスクトレイ２０を少し退出させることにより、入出動作駆動機構２１の第１ラック２３を第１ピニオン２２に噛み合わせるようにしている。
【００１１】
ここで、このディスク装置では、上記のようにスライダ６０の係合突起６５をガイド溝部２６の傾斜部２７に導いてスライダ６０の復動開始動作を行わせるために、図７に示したカム機構７０を設けてある。このカム機構７０は、スライダ６０に設けられている傾斜したカム溝７１と、光ピックアップ３０（図６参照）から延び出た突出片７２に設けられたカムピン７３とを備えている。そして、ディスクトレイ２０を退出させるモード（退出モード）が選択されると、その選択動作に伴って光ピックアップ３０が動作モードから非動作モードに切り換えられて図６に矢印Ｙ１で示したように初期位置に復帰する動作を行う。こうして光ピックアップ３０が初期位置に復帰する動作を行うと、それに伴って図７に示したカムピン７３が光ピックアップ３０と同一方向（Ｙ１）に移動してカム溝７１に入り、そのカム溝７１を図６に示した矢印Ｘ２方向に押してスライダ６０の復動開始動作を行わせる。
【００１２】
したがって、光ピックアップ３０が動作モードから非動作モードに切り換えられて初期位置に復帰する動作と、スライダ６０の復動開始動作と、スライダ６０の復動開始動作に追従するディスクトレイ２０の退出方向への初期移動動作とが一連の動作として連動して行われる。しかも、第１ピニオン２２と第２ピニオン６３とが単一のモータで一体回転する構成を採用しているので、ディスクトレイ２０が初期移動するときには、その初期移動に連動してスライダ６０が復動開始動作を続行する。
【００１３】
そして、スライダ６０が第２ラック６４に噛み合っている第２ピニオン６３によってその復動限位置まで押し切られると、第２ピニオン６３から第２ラック６４が離れて係合突起６５がガイド溝部２６の傾斜部２７から出る。そのため、ディスクトレイ２０の第１ラック２３に噛み合っている第２ピニオン２２の回転によってディスクトレイ２０が退出動作を続行し、その退出動作中には、係合突起６５がガイド溝部２６を長手方向に摺動する。
【００１４】
図６に示したディスク装置において、ガイド溝部２６は、ディスクトレイ２０の進入動作時に係合突起６５を係合溝部２５に導入する作用を果たす。また、係合溝部２５に導入された係合突起６５は、その係合溝部２５の溝壁２５ａに係合してディスクトレイ２０のシャーシ１０からの退出動作を阻止する作用を果たす。
【００１５】
一方、従来より、衝撃が作用したときなどにディスクトレイが不慮に飛び出してしまうことを防止する対策を講じたディスク装置が提案されている（たとえば、特許文献１参照）。そして、この特許文献１には、ディスクトレイに設けられたガイドレールによって案内されるガイドピンが、そのガイドレールから離脱するのを防止する離脱防止手段を設けることが記載されている。
【特許文献１】特開２００３−３１７３５７号公報
【発明の開示】
【発明が解決しようとする課題】
【００１６】
図６を参照して説明した基本構成を備えるディスク装置では、ディスクトレイ２０がシャーシ１０に対して進入しているという状態が保たれている停止モードのときに、何らかの原因で強い衝撃がディスクトレイ２０に加えられると、係合突起６５と係合溝部２５との係合が外れてしまうという事態の起こることがある。
【００１７】
このような事態が起こると、係合溝部２５が係合突起６５の前側（ディスクトレイ２０の退出方向前側）に変位してしまうために、ディスクトレイ２０が退出方向に初期移動した状態になる。この状態では、スライダ６０の往復動駆動機構６２の第２ピニオン６３とラック６４とが離れているために、再生モードやディスク退出モード、さらにはディスク進入モードなどが選択されたときにスライダ６０が正常に動作しなくなり、場合によってはディスクトレイ２０やスライダ６０などの機構部品がロック状態になってしまってディスクトレイ２０を退出させることができなくなってしまうという事態が起こり得る。そして、ディスクトレイ２０を退出させることができなくなると、ユーザにとっては対処が不可能になってしまう。
【００１８】
そこで、本発明は、係合突起と係合溝部との係合が外れてしまった場合であっても、ディスクトレイの退出動作させることを可能にし、しかも、ディスクトレイを退出動作させることを通じて係合突起がガイド溝部に自然に嵌まり込むような対策を講じることによって、それ以降の動作が正常に行われるようになるディスク装置を提供することを目的とする。
【課題を解決するための手段】
【００１９】
本発明に係るディスク装置は、図６や図７を参照して背詰めした基本構成を備えている。すなわち、本発明に係るディスク装置は、枠フレームを形成しているシャーシに当該シャーシの幅方向往復移動可能に取り付けられ、光ピックアップが動作モードから非動作モードに切り換えられて初期位置に復帰する動作に連動して往動限位置を始点とする復動を開始するスライダと、上記シャーシに入出動作可能に組み付けられて上記スライダの復動開始動作に連動して退出方向に初期移動されるディスクトレイと、上記スライダに設けられて、上記ディスクトレイが上記シャーシに進入しているときにこのディスクトレイに備わっている上記幅方向に延びる係合溝部の溝壁に係合してこのディスクトレイの上記シャーシからの退出動作を阻止する係合突起と、上記ディスクトレイに設けられて上記係合溝部に連続しかつ当該ディスクトレイの進入動作時に上記係合突起を上記係合溝部に導入するガイド溝部と、上記シャーシに装備された第１ピニオンと上記ディスクトレイに装備された第１ラックとの組み合わせでなるディスクトレイの入出動作駆動機構と、を備えている。
【００２０】
加えて、上記入出動作駆動機構は、ディスクトレイがシャーシに対して進入しているときに第１ラックが第１ピニオンから離れ、かつ、ディスクトレイの上記初期移動によって第１ラックが第１ピニオンに噛み合うようになっている。
【００２１】
本発明では、上記した基本構成に対して次の対策を講じてある。すなわち、上記ガイド溝部にその溝壁の一部を欠除してなる開口が形成され、上記係合突起が上記係合溝部から外れることによって行われるディスクトレイの上記初期移動により上記入出動作駆動機構の第１ラックが第１ピニオンに噛み合うように構成されていると共に、光ピックアップが初期位置に復帰する動作に連動して上記スライダが往動限位置を始点とする復動を開始する動作を通じて、上記係合突起が上記開口から上記ガイド溝部に導入されるように構成してある。
【００２２】
この構成を採用すると、係合突起が係合溝部から外れているときに、第１ピニオンを回転させると、その回転が第１ラックに伝達されてディスクトレイがシャーシから退出する。したがって、ディスクトレイをシャーシから退出させることができる。また、光ピックアップが初期位置に復帰する動作に連動してスライダが往動限位置を始点とする復動を開始する動作を通じて、係合突起が開口からガイド溝部に導入されるために、それ以降の動作は正常に行われるようになり、係合突起が係合溝部から外れたままになるという状況が修復される。
【００２３】
本発明では、上記スライダの往復移動が、上記第１ピニオンと共に一体回転する第２ピニオンと上記スライダに装備された第２ラックとの組み合わせでなる往復動駆動機構の動作を介して行われるようになっていて、上記スライダが往動限に位置しているときに第２ピニオンから離れている第２ラックが、そのスライダの復動開始動作を通じて第２ピニオンに噛み合い、光ピックアップが初期位置に復帰する動作に連動して上記スライダが復動開始動作を行うことを通じて、上記係合突起が上記開口から上記ガイド溝部に導入されるときに、第２ラックが第２ピニオンにより蹴られてその第２ピニオンから離れると共に、上記スライダが復動限位置に達するように構成してある、という構成を採用することが可能である。
【発明の効果】
【００２４】
以上のように、本発明に係るディスク装置では、係合溝部から係合突起が外れた場合であっても、その後にディスクトレイを退出させることが可能になるだけでなく、ディスクトレイを退出させることによって係合突起がガイド溝部に嵌まり込んで、その後の動作が正常に行われるようになり、係合突起が係合溝部から外れたままになるという状況が修復される。したがって、仮に係合溝部が係合突起が外れていても、ユーザにとっては、ディスクトレイの退出モードを選択するだけで正常な状態に修復することができるという利便性がある。
【発明を実施するための最良の形態】
【００２５】
図１は本発明の実施形態に係るディスク装置の要部の概略平面図、図２は係合溝部から係合突起が外れた状態を示した図１のディスク装置の要部の概略平面図、図３はディスクトレイの退出モードを選択したときの動作を示した概略平面図、図４は係合突起がガイド溝部に嵌まり込む動作を示した概略平面図、図５はディスクトレイの退出動作を示した概略平面図である。
【００２６】
この実施形態のディスク装置において、その基本構成やその作用などは、図６を参照して説明したところと同様である。
【００２７】
すなわち、図１のように、スライダ６０が往動限位置に達しているときには、係合突起６５が係合溝部２５に嵌まり込んでその溝壁２５ａに係合していることにより、ディスクトレイ２０のシャーシ１０（図６参照、以下同じ）からの退出が阻止されている。また、このときには、往復動駆動機構６２の第２ラック６４が第２ピニオン６３から離れている。さらに、ディスクトレイ２０はシャーシ１０に進入していて、入出動作駆動機構２１の第１ラック２３が第１ピニオン２２から離れている。なお、この状態では、光ピックアップ３０（図６参照、以下同じ）がその初期位置の手前で停止している。
【００２８】
図１の状態が保たれているときに、強い衝撃がディスクトレイ２０などに加わると、図２のように係合突起６５が係合溝部２５から外れることがある。このように係合突起６５が係合溝部２５から外れたときには、ディスクトレイ２０が退出方向Ｂ１に符号Ａで示した幅だけ移動して係合溝部２５の溝壁２５ａが係合突起６５を乗り越えている。この実施形態では、係合突起６５が係合溝部２５から外れたときにディスクトレイ２０が退出方向に移動する幅Ａを、入出動作駆動機構２１の第１ラック２３が第１ピニオン２２に噛み合う幅、すなわち上記した初期移動を行う幅に定めてある。
【００２９】
図２の状態から、たとえばユーザが、ディスクトレイ２０を退出させるための動作、すなわちディスクトレイ２０の退出モードを選択すると、その選択によって光ピックアップ３０が初期位置に復帰する動作を行い、その動作によって図３の矢印ｂのようにカム機構７０のカムピン７３がカム溝７１に嵌まり込んでカム溝７１を押すので、スライダ６０が往動限位置を始点とする復動を開始する。このときのスライダ６０の復動開始動作により往復動駆動機構６２の第２ピニオン６３に第２ラック６４が噛み合う。このため、光ピックアップ３０が初期位置に復帰する動作に連動して図３矢印ａのようにスライダ６０の復動開始動作が行われる。したがって、ディスクトレイ２０の退出動作とスライダ６０の復動開始動作が併行される。
【００３０】
ここで、図１〜図５のように、ガイド溝部２６には、その溝壁２６ａの一部を欠除してなる開口２８が開設されている。そして、上記のように、ディスクトレイ２０の退出動作とスライダ６０の復動開始動作が併行されることによって、図４矢印ｃのように係合突起６５が移動してその係合突起６５が開口２８からガイド溝部２６に導入されるようになっている。
【００３１】
こうして係合突起６５がガイド溝部２６に導入されると、それ以降の動作は、図５のように係合突起６５がガイド溝部２６に正常に嵌まり込んだ状態で行われるため、係合突起６５が係合溝部２６から外れたままになるという状況が修復されたことになる。また、係合突起６５がガイド溝部２６に導入されたときには、第２ラック６４が第２ピニオン６３により蹴られてその第２ピニオン６３から離れ、スライダ６０が復動限位置に達する。
【００３２】
この実施形態において、その他の構成や動作は図６や図７を参照して説明したところと同様である。
【００３３】
この実施形態では、ガイド溝部２６の溝壁２６ａの一部を所定箇所で欠除して開口２８を形成するだけの構成によって、係合溝部２５から外れた係合突起６５を、ディスクトレイ２０を退出させるのに伴ってガイド溝部２６に導入するという構成を採用しているので、別途部品を追加せずに係合溝部２５から外れた係合突起６５の正規位置への修復が自動的に行われるようになっている。そのため、ディスク装置の組立てラインで量産性が阻害されることになるという事態を生じる余地がない。
【図面の簡単な説明】
【００３４】
【図１】本発明の実施形態に係るディスク装置の要部の概略平面図である。
【図２】係合溝部から係合突起が外れた状態を示した図１のディスク装置の要部の概略平面図である。
【図３】ディスクトレイの退出モードを選択したときの動作を示した概略平面図である。
【図４】係合突起がガイド溝部に嵌まり込む動作を示した概略平面図である。
【図５】ディスクトレイの退出動作を示した概略平面図である。
【図６】ディスク装置の基本構成を示した説明図である。
【図７】カム機構の説明図である。
【符号の説明】
【００３５】
１０  シャーシ
２０  ディスクトレイ
２１  入出動作駆動機構
２２  第１ピニオン
２３  第１ラック
２５  係合溝部
２５ａ  係合溝部の溝壁
２６  ガイド溝部
２６ａ  ガイド溝部の溝壁
２８  開口
３０  光ピックアップ
６０  スライダ
６２  往復動駆動機構
６３  第２ピニオン
６４  第２ラック
６５  係合突起
Ｘ１，Ｘ２  シャーシの幅方向
【図１】
2008282446.tif 000003
【図２】
2008282446.tif 000004
【図３】
2008282446.tif 000005
【図４】
2008282446.tif 000006
【図５】
2008282446.tif 000007
【図６】
2008282446.tif 000008
【図７】
2008282446.tif 000009